(57)【要約】【課題】三脚を設置する設置面が傾斜屋根等のように凹凸を有する場合においても、その設置面上に安定状態に配置することができて、三脚をその台座が水平になった状態に安定に設置することができる三脚設置補助具を提供する。【解決手段】三脚２４の下端を支持して、三脚２４の設置補助を行なうための三脚設置補助具２１において、両端部において三脚２４の２つの脚２４２，２４３の下端を支持可能な第１支持部材２５と、中間部において三脚２４の残りの１つの脚２４４の下端を支持可能な第２支持部材２６とを備える。第１支持部材２５と第２支持部材２６とを、連結部材２７によって平行に延びた状態に連結する。【選択図】図３
2015094676.tif 000002
【特許請求の範囲】
【請求項１】
三脚の下端を支持して、三脚の設置補助を行なうための三脚設置補助具であって、
両端部において三脚の２つの脚の下端を支持可能な第１支持部材と、中間部において三脚の残りの１つの脚の下端を支持可能な第２支持部材と、前記第１支持部材と第２支持部材とを平行に延びた状態に連結する連結部材とを備えた三脚設置補助具。
【請求項２】
前記第１支持部材の両脚支持部間の中間点から第２支持部材の脚支持部の方向を指向可能な基準位置設定手段を設けた請求項１に記載の三脚設置補助具。
【請求項３】
前記連結部材は、一対の連結片と、両連結片間に介在されたヒンジ部材とを有し、ヒンジ部材を折り畳むことにより、第１、第２支持部材が相互間隔をおいた展開状態から平行に沿う折り畳み状態に配置される請求項１または２に記載の三脚設置補助具。
【発明の詳細な説明】
【技術分野】
【０００１】
この発明は、例えばトランシット等の測定器を支持するための三脚を傾斜屋根等の設置面上に設置する場合に用いる三脚設置補助具に関するものである。
【背景技術】
【０００２】
従来、この種の三脚設置補助具としては、例えば特許文献１〜特許文献５に開示されるような構成が提案されている。
特許文献１に記載の従来構成の三脚設置補助具においては、先端に三脚の地突を挿入するための孔または窪み等の支持部を有する３つの平板状の支持体が、先端の各支持部を三角形の頂点に位置させるとともに、基端間に開口を形成するように、基端においてジョイントで連結されている。そして、設置面上に三脚設置補助具を配置した状態で、各支持体の支持部に三脚の地突を挿入することにより、三脚が設置面上に設置されるようになっている。
【０００３】
また、特許文献２〜特許文献５に記載の従来構成の三脚設置補助具においては、中心に開口を有する基体の外周に、３つの平板状または丸棒状の支持体が等角度間隔をおいて放射方向に延びるように突設され、各支持体の先端に三脚の地突を挿入するための支持部が設けられている。そして、前記特許文献１に記載の従来構成の場合と同様に、設置面上に配置された三脚設置補助具における各支持体の支持部に三脚の地突を挿入することによって、三脚が設置面上に設置されるようになっている。
【先行技術文献】
【特許文献】
【０００４】
【特許文献１】特開平１１−２８７３９４号公報
【特許文献２】特許第３６７３７８６号公報
【特許文献３】実公昭６２−８４８７号公報
【特許文献４】実開平６−６９５９６号公報
【特許文献５】特開平８−７５４７０号公報
【発明の概要】
【発明が解決しようとする課題】
【０００５】
ところが、これらの従来構成の三脚設置補助具においては、３つの支持体が中心から外方に向かって等角度間隔をおいて放射方向に延びるように配置されている。このため、例えば建築物の傾斜屋根上に太陽電池パネルを設置する場合において、トランシット等の測定器により太陽電池パネルの設置位置を測定する際、従来構成の三脚設置補助具を用いて、測定器を支持するための三脚を傾斜屋根上に設置しようとすると、傾斜屋根上における三脚設置補助具の配置状態が不安定になる。このため、三脚をその上端の台座が水平になった状態に安定に設置することができないという問題があった。すなわち、三脚設置補助具を傾斜屋根上に配置した場合、放射方向に延びる３つの支持体のうちのいずれかの支持体が、屋根瓦上の凹部内や波板よりなる屋根材上の溝部内に落ち込んで、三脚設置補助具を傾斜屋根上に安定状態に配置することが困難であった。
【０００６】
この発明は、このような従来の技術に存在する問題点に着目してなされたものである。その目的は、三脚を設置する設置面が傾斜屋根等のように凹凸を有する場合においても、三脚をその台座が水平になった状態に安定に設置することができる三脚設置補助具を提供することにある。
【課題を解決するための手段】
【０００７】
上記の目的を達成するために、この三脚設置補助具は、三脚の下端を支持して、三脚の設置補助を行なうための三脚設置補助具であって、両端部において三脚の２つの脚の下端を支持可能な第１支持部材と、中間部において三脚の残りの１つの脚の下端を支持可能な第２支持部材と、前記第１支持部材と第２支持部材とを平行に延びた状態に連結する連結部材とを備えたことを特徴としている。
【０００８】
従って、この三脚設置補助具を用いて三脚を設置面上に設置する際、傾斜屋根等のように設置面に凹凸が存在する場合でも、平行に延びる第１支持部材及び第２支持部材を凹凸の延長方向と交差する方向に配置すれば、各支持部材が設置面上の凹部に落ち込むおそれはない。よって、三脚の設置面が傾斜屋根等のように凹凸を有する場合においても、その設置面上に三脚設置補助具をガタツキを生じることなく安定状態に配置することができて、三脚をその台座が水平になった状態に安定に設置することができる。
【発明の効果】
【０００９】
前記の三脚設置補助具によれば、三脚を設置する設置面が傾斜屋根等のように凹凸を有する場合においても、三脚をその台座が水平になった状態に安定に設置することができるという効果を発揮する。
【図面の簡単な説明】
【００１０】
【図１】第１実施形態の三脚設置補助具を示す平面図。
【図２】図１の三脚設置補助具における第１支持部材、第２支持部材及び支持片の端面図。
【図３】図１の三脚設置補助具を用いて三脚を設置した状態を示す斜視図。
【図４】図３の三脚設置補助具の支持片の部分を拡大して示す要部斜視図。
【図５】同三脚設置補助具の第１支持部材の一端部を拡大して示す要部斜視図。
【図６】同じく第１支持部材の一端部の構成を分解して示す要部斜視図。
【図７】同第１支持部材の一端部を部分的に破断して示す要部正面図。
【図８】三脚設置補助具の第２支持部材の一端部の構成を分解して示す要部斜視図。
【図９】同第２支持部材の一端部の構成を拡大して示す断面図。
【図１０】第１支持部材及び第２支持部材に対する滑り止め材の装着構成を示す要部側面図。
【図１１】は三脚設置補助具に対する三脚の設置状態を示す概略平面図、は第１，第２支持部材間の掛止部材を示す一部斜視図。
【図１２】第２実施形態の三脚設置補助具の折り畳み状態を示す平面図。
【図１３】同じく折り畳み状態を示す底面図。
【図１４】同じく三脚設置補助具の展開状態を示す斜視図。
【図１５】同じく三脚設置補助具の連結部材を傾斜させた状態を示す斜視図。
【図１６】指標部材の使用状態を示す一部平面図。
【図１７】（ａ）は三脚設置補助具の折り畳み状態におけるヒンジ部材の部分を示す一部斜視図、（ｂ）は三脚設置補助具の展開状態におけるヒンジ部材の部分を示す一部斜視図。
【図１８】三脚設置補助具の変更例を示す斜視図。
【図１９】図１８の三脚設置補助具の第２支持部材に対する第３支持部材の取付構成を拡大して示す部分破断背面図。
【図２０】三脚設置補助具の別の変更例を示す斜視図。
【図２１】図２０の変更例の一部を示す一部破断平面図。
【発明を実施するための形態】
【００１１】
（第１実施形態）
以下、三脚設置補助具の第１実施形態を図１〜図１１に従って説明する。
この実施形態の三脚設置補助具２１は、例えば図３に示すように、建築物の傾斜屋根２２上に図示しない複数の太陽電池パネルを並設する場合等に用いられる。すなわち、三脚設置補助具２１は、トランシット等の測定器２３により太陽電池パネルの設置位置を測定する際、その測定器２３を支持するための三脚２４を凹凸形状の傾斜屋根２２上に安定して設置する際に用いられる。
【００１２】
図３に示す傾斜屋根２２は、凹溝部及び突条部よりなる凹凸２２１を有する折板，波板，瓦葺等によって構成されている。また、三脚２４は、台座２４１の外周下部に３つの伸縮可能な脚２４２，２４３，２４４を開閉可能に装着して構成されている。台座２４１上に測定器２３が設置される。図６及び図７に示すように、各脚２４２〜２４４の下端には、地突２４５が突設されている。
【００１３】
図１に示すように、前記三脚設置補助具２１には、両端部において三脚２４の２つの脚２４２，２４３の下端を支持可能な第１支持部材２５と、中間部において三脚２４の残りの１つの脚２４４の下端を支持可能な第２支持部材２６とが備えられている。第１支持部材２５と第２支持部材２６との間には、それらの支持部材２５，２６を互いに平行に延びた状態に連結するための一対の連結部材２７が架設されている。
【００１４】
図１、図３及び図４に示すように、前記第２支持部材２６の中間部の上面には、支持片２８が第２支持部材２６と直交する方向に延びた状態で一対の固定ネジ２９により固定されている。そして、この支持片２８上に三脚２４の脚２４４の下端が支持されるようになっている。前記第１支持部材２５、第２支持部材２６及び支持片２８は、図２に示すような端面形状を有するアルミニウム等の金属製の形材３０より構成されている。形材３０の幅方向の中央上面には、長手方向に延びる凹溝３０１が形成されている。凹溝３０１の両側内面には、長手方向に延びる一対の係止溝３０２が形成されている。形材３０の頂壁下面には、長手方向に延びる一対の溝状のネジ螺合部３０３が形成されている。前記両連結部材２７は、断面四角状の金属パイプ材より構成されている。
【００１５】
図１及び図４〜図７に示すように、前記第１支持部材２５及び第２支持部材２６に対する連結部材２７の各結合部において、各支持部材２５，２６を構成する形材３０の係止溝３０２間には、四角薄板状の結合駒３１が支持部材２５，２６の延長方向において位置調節可能に挿入されている。各結合駒３１には、ネジ孔３１１が形成されている。そして、連結部材２７上から結合駒３１のネジ孔３１１にボルト３２が螺合されることによって、各連結部材２７の両端部が第１支持部材２５及び第２支持部材２６に対して固定されている。これにより、第１支持部材２５及び第２支持部材２６が互いに平行に延びた状態に固定保持されている。従って、ボルト３２を緩めることにより、結合駒３１を第１，第２支持部材２５，２６の延長方向に沿って移動させることができる。
【００１６】
図１及び図４〜図７に示すように、前記第１支持部材２５の両端部及び第２支持部材２６上の支持片２８における三脚２４の各脚２４２〜２４４の支持部において、第１支持部材２５及び支持片２８を構成する形材３０の係止溝３０２間には、四角薄板状の支持駒３３が第１支持部材２５及び支持片２８の延長方向に位置調節可能に挿入されている。各支持駒３３には、ネジ孔３３１及び地突挿入孔３３２が形成されている。
【００１７】
そして、図７に示すように、各支持駒３３のネジ孔３３１に蝶ネジ３４が螺合されて、その蝶ネジ３４の先端が形材３０の凹溝３０１の内底面に圧接されることにより、各支持駒３３が第１支持部材２５の両端部及び支持片２８上の所定位置に固定されている。このとき、図１１に示すように、第１支持部材２５の両端部及び支持片２８上の３つの地突挿入孔３３２が、上方から見て正三角形または第１支持部材２５上の２つの地突挿入孔３３２間を底辺とした二等辺三角形の頂点に位置するように配置される。この状態で、各支持駒３３の地突挿入孔３３２に対して、三脚２４の各脚２４２〜２４４の下端に設けられた地突２４５が挿入されることにより、三脚２４が三脚設置補助具２１上に支持されるようになっている。
【００１８】
図１及び図４〜図７に示すように、前記各支持駒３３の上面には、バンド３５が基端部において前記蝶ネジ３４により固定されている。一方、三脚２４の各脚２４２〜２４４の下端部には、バックル３６がボルト３７によって取り付けられている。そして、各支持駒３３の地突挿入孔３３２に三脚２４の各脚２４２〜２４４の地突２４５が挿入された状態で、各バンド３５の先端部がバックル３６に係着されることによって、三脚２４の各脚２４２〜２４４が第１支持部材２５の両端部及び支持片２８上に離脱が困難なように保持されるようになっている。
【００１９】
図６〜図８に示すように、前記第１支持部材２５、第２支持部材２６及び支持片２８の両端部には、それらの両端部を覆うための薄板状の端カバー３８がその外側から形材３０の両ネジ螺合部３０３に対して一対のネジ３９を螺入することにより取り付けられている。図１０に示すように、第１支持部材２５及び第２支持部材２６における凹溝３０１の底部及び両側部の外面には、摩擦係数の高い合成樹脂製の帯状網体よりなる滑り止め部材４０が張設されている。この滑り止め部材４０は、その幅方向の両側縁を凹溝３０１の両側外面に沿って延びる一対の端面Ｌ字状のアングル材４１により押えるとともに、両アングル材４１の下方から第１支持部材２５及び第２支持部材２６のネジ螺合部３０３に複数のネジ４２を螺合することによって、凹溝３０１の外面に対する張設状態に保持されている。
【００２０】
図１、図３、図４及び図６に示すように、前記第１支持部材２５上における一方の支持駒３３の内側近傍位置において、第１支持部材２５を構成する形材３０の両係止溝３０２間には、四角薄板状の張設駒４３が第１支持部材２５の延長方向に位置調節可能に挿入されて、蝶ネジ４４により所定位置に固定されている。第２支持部材２６上の支持片２８の先端中央部には、止めネジ４５が螺着されている。張設駒４３と止めネジ４５との間には、基準位置設定手段としての糸条４６が調節されている。第１支持部材２５上における両支持駒３３の地突挿入孔３３２間の中間点位置には、糸条４６を前記中間点から支持片２８上の支持駒３３の地突挿入孔３３２に向かって指向させるためのガイドピン４７が突設されている。
【００２１】
図１及び図３に示すように、前記糸条４６上には、ビーズ玉等よりなる指標部材４８が糸条４６の延長方向に移動可能に取り付けられている。そして、三脚設置補助具２１を傾斜屋根２２等の設置面上に配置する際に、この指標部材４８を設置面上に設定された測定基準点Ｐに対応させることにより、３つの地突挿入孔３３２間の中心位置が測定基準位置に位置合わせされるようになっている。
【００２２】
図１，図８及び図９に示すように、第２支持部材２６の両端部には、止め輪４９１を有する固定部材４９がネジ５０及びそのネジ５０が螺入される補助板５０１を用いて固定されている。この固定部材４９の止め輪４９１には、建物の一部に固定された紐やワイヤ等の先端が結び付けられ、三脚設置補助具２１が急傾斜の傾斜屋根２２上で移動しないように保持される。
【００２３】
次に、前記のように構成された三脚設置補助具の作用及び使用方法を説明する。
この三脚設置補助具２１を用いて三脚２４を傾斜屋根２２等の設置面上に設置する場合には、図３に示すように、傾斜屋根２２上に設定された測定基準点Ｐ上に三脚設置補助具２１を配置する。この場合、三脚設置補助具２１の第１支持部材２５及び第２支持部材２６を、傾斜屋根２２の凹凸２２１の延長方向と交差する方向に延びるように、測定基準点Ｐを挟んで傾斜屋根２２の上下いずれか一方の位置及び他方の位置に配置する。そして、このとき、基準位置設定手段としての糸条４６が測定基準点Ｐを通るように、両支持部材２５，２６を位置調節するとともに、糸条４６上の指標部材４８が測定基準点Ｐ上に位置するように、同じく両支持部材２５，２６を位置調節する。
【００２４】
この傾斜屋根２２上への三脚設置補助具２１の配置に際しては、平行に延びる第１支持部材２５及び第２支持部材２６を、傾斜屋根２２の凹凸２２１の延長方向と交差する方向に延長して配置するため、各支持部材２５，２６が傾斜屋根２２上の凹凸２２１の凹溝部に落ち込むことはない。よって、三脚設置補助具２１は傾斜屋根２２上に安定状態に配置される。
【００２５】
その後、傾斜屋根２２に配置された三脚設置補助具２１上に三脚２４を設置する。この場合、三脚２４の２つの脚２４２，２４３の長さをそろえた状態で、それらの脚２４２，２４３の下端の地突２４５を第１支持部材２５の両端部の地突挿入孔３３２に挿入する。さらに、三脚２４における残りの脚２４４の下端の地突２４５を支持片２８上の地突挿入孔３３２に挿入する。このとき、三脚２４の台座２４１が水平状態になるように、脚２４４の長さを調整する。このようにして、図１１に示すように、台座２４１の中心が、傾斜屋根２２上の測定基準点Ｐの鉛直上方に配置することができる。そして、各脚２４２〜２４４の下端をバンド３５により三脚設置補助具２１に対して脱落不能に固定すれば、三脚２４が傾斜屋根２２上に三脚設置補助具２１を介して安定状態に設置される。
【００２６】
この状態で、三脚２４の台座２４１上に測定器２３を装着すれば、その測定器２３により傾斜屋根２２上の測定基準点Ｐを基準にして、太陽電池パネルの設置位置等を正確に測定することができる。
【００２７】
従って、この実施形態によれば、以下のような効果を得ることができる。
（１）この実施形態においては、両端部において三脚２４の２つの脚２４２，２４３の下端を支持可能な第１支持部材２５と、中間部において三脚２４の残りの１つの脚２４４の下端を支持可能な第２支持部材２６とが備えられている。第１支持部材２５と第２支持部材２６とは、連結部材２７によって互いに平行に延びた状態に連結されている。
【００２８】
このため、この三脚設置補助具２１を用いて三脚２４を設置面上に設置する際、傾斜屋根２２等のように設置面に凹凸２２１が存在する場合でも、平行に延びる第１支持部材２５及び第２支持部材２６を凹凸２２１の延長方向と交差する方向に配置すれば、各支持部材２５，２６が設置面上の凹凸２２１の凹部に落ち込むおそれはない。よって、三脚２４の設置面が傾斜屋根２２等のように凹凸２２１を有する場合においても、その設置面上に三脚設置補助具２１を安定状態に配置することができて、三脚２４をその台座２４１が水平になった状態に安定に設置することができる。この三脚設置補助具２１は、傾斜屋根２２に限らず、不整地等の凹凸が大きい面に設置する場合にも、安定状態に維持できる。
【００２９】
（２）前記第１支持部材２５の両脚支持部間の中間点から第２支持部材２６の脚支持部の方向を指向可能な基準位置設定手段としての糸条４６が設けられている。このため、糸条４６が、設置面上の測定基準点Ｐを通るように、三脚設置補助具２１を設置面上に配置すれば、三脚設置補助具２１及びその三脚設置補助具２１上に支持される三脚２４を、測定基準位置に容易に設定することができる。この場合、三脚設置補助具２１の地突２４５が正三角形または二等辺三角形の頂点上に位置する。そして、糸条４６が第１支持部材２５の中間点から三角形の対向する頂点に向かって延びているため、糸条４６は三角形を２分する線状に位置する。従って、糸条４６は三脚２４の中心を通ることになり、この糸条４６と測定基準点Ｐとを対応させ、糸条４６に沿って三脚２４を移動させることによって、前記のように測定器２３の中心と測定基準点Ｐとを容易に一致させることができる。
【００３０】
（３）そして、前記糸条４６にその延長方向へ移動可能な指標部材４８が設けられている。このため、設置面上への三脚設置補助具２１の配置に際して、指標部材４８を糸条４６に沿って移動させれば、指標部材４８を測定器２３の直下に位置する三脚２４の中心に容易に位置させることができる。すなわち、図１１に示すように、糸条４６は三角形の底辺中央から対向する頂点に向かって延びているため、三角形が正三角形あるいは二等辺三角形であることも相俟って、糸条４６上の三角形の中心を容易に算出できる。そして、算出された中心の位置に指標部材４８を移動させればよい。従って、設置面上の測定基準点Ｐに合わせることによって、三脚設置補助具２１の測定基準位置への設定を一層容易に行うことができる。
【００３１】
（４）前記第２支持部材２６上にその第２支持部材２６と直交する方向に延びる支持片２８が設けられ、その支持片２８上に三脚２４の脚２４４の下端が支持されるようになっている。このため、三脚２４の３つの脚２４２〜２４４の下端を、第１支持部材２５の両端部と第２支持部材２６上の支持片２８とにおいて安定に支持することができる。
【００３２】
（５）前記第１支持部材２５及び支持片２８に、三脚２４の脚２４２〜２４４の下端を支持するための支持駒３３が第１支持部材２５または支持片２８の延長方向に位置調節可能に設けられている。このため、第１支持部材２５及び支持片２８に対する三脚２４の３つの脚２４２〜２４４の下端支持位置を必要に応じて任意に調節することができる。
【００３３】
（第２実施形態）
次に、図１２〜図１７に基づいて、三脚設置補助具２１の第２実施形態を第１実施形態と異なる部分を中心に説明し、第１実施形態と同様な機能の部材については、第１実施形態と同じ符号を付して説明を省略する。
【００３４】
図１２及び図１３に示すように、この実施形態では、第１，第２支持部材２５，２６が同じ長さになっている。
図１２，図１４及び図１７（ａ）（ｂ）に示すように、両連結部材２７はその両端が両支持部材２５，２６の結合駒３１に回転可能に支持されている。両連結部材２７は、それぞれ一対の連結片２７１をヒンジ部材５４により折り畳み可能に連結して構成されている。従って、図１２及び図１４に示すように、この実施形態の補助具２１は、ヒンジ部材５４及び連結片２７１を折り畳むことにより、両支持部材２５，２６が平行に重ねられてコンパクトになる。また、ヒンジ部材５４及び連結片２７１を開いて伸長することにより、補助具２１は展開される。
【００３５】
両支持部材２５，２６間には、支持部材２５，２６をコンパクトな平行折り畳み状態に保持するための掛止金具５５が設けられている。掛止金具５５は、板状片５５１とリング及び操作レバーを有するてこ片５５２とよりなる。連結部材２７の連結片２７１間には連結片２７１を折り畳み状態に保持するための掛止金具５６が設けられている。図１７（ａ）（ｂ）に示すように、掛止金具５６は、リング５６１と、そのリング５６１を止めるてこ片５６２とよりなる。
【００３６】
一方の支持部材２６の外側面にはハンドル５７が固定されている。
図１４及び図１６に示すように、第１支持部材２５の上面中央には基準位置設定手段としての伸縮アンテナ状の伸縮ロッド５８がピン５９により支持されている。この伸縮ロッド５８は第２支持部材２６に向かって延びた状態で、基端部がクランプ６０により保持されている。従って、伸縮ロッド５８は回動不能に固定されている。伸縮ロッド５８の先端には指標部材４８が設けられている。そして、伸縮ロッド５８を伸縮させることにより、指標部材４８の位置を調節できる。伸縮ロッド５８の基端には、環状溝よりなる基準マーク６１が設けられている。
【００３７】
支持部材２５には折り畳み状態において機能する脚６２が取付けられている。
なお、図１２に２点鎖線で示すように、止め輪４９１を例えば第２支持部材２６の両端等の位置に固定してもよい。
【００３８】
この実施形態の三脚設置補助具２１は、以下のように機能する。
すなわち、図１２は、連結部材２７が折り畳まれて、支持部材２５,２６が平行に沿ってコンパクトになった状態を示している。この状態では、掛止金具５５により支持部材２５，２６が平行な折り畳み状態に保持されている。また、伸縮ロッド５８は縮小状態にされて、その指標部材４８は邪魔にならないように第２支持部材２６上に位置している。このため、この状態においては、三脚設置補助具２１を邪魔にならずに保管できるとともに、ハンドル５７を持つことにより手軽に携行できる。
【００３９】
三脚設置補助具２１の計測使用に際しては、前記掛止金具５５による掛止めを外して、図１４または図１５に示すように展開させればよい。このようにすれば、図１７（ｂ）に示すように、掛止金具５６を掛止状態にすることにより、図１４に示すように、三脚設置補助具２１を展開状態で固定できる。従って、第１実施形態と同様に、下面の滑り止め部材４０を折板屋根等の上に接合させれば、三脚設置補助具２１をその折板屋根等の上に安定状態に設置できる。そして、図１６に示すように、伸縮ロッド５８を基準マーク６１を起点として距離を測定しながら適宜に伸長させて、指標部材４８を測定基準点にあわせるとともに、伸縮ロッド５８の地突挿入孔３３２に三脚の地突２４５を立てればよい。このようにすることにより、測定作業を実行できる。なお、図１４は、連結部材２７を支持部材２５，２６に対して直交させることにより三脚設置補助具２１を最も大きく展開させた状態を示している。図１５は、連結部材２７を支持部材２５，２６に対して傾斜させた状態を示している。連結部材２７を直交状態にしたり、傾斜状態にしたりするためには、連結部材２７のボルト３２を緩めて結合駒３１を支持部材２５，２６の延長方向に沿って移動させ、所要位置でボルト３２を締め付ければよい。図１５の状態においては、連結部材２７間の距離が狭まるため、作業者が支持部材２５，２６及び連結部材２７によって形成される枠内に入って三脚設置補助具２１の位置を連結部材２７を持って調整する際に便利である。
【００４０】
従って、第２実施形態においては、以下の効果がある。
（６）三脚設置補助具２１は図１２に示すコンパクトな状態に折り畳まれるため、保管や携行において邪魔にならず、便利である。
【００４１】
（７）指標部材４８は伸縮アンテナ状の伸縮ロッド５８の先端に設けられているため、伸縮ロッド５８を伸縮させるだけで、指標部材４８を基準点に位置合わせできるため、その取り扱いが容易である。
【００４２】
（変更例）
なお、この実施形態は、次のように変更して具体化することも可能である。
・図１８及び図１９に示すように、前記実施形態における一方の連結部材２７に代えて、第１支持部材２５と第２支持部材２６との間に形材３０よりなる第３支持部材５１を架設し、その第３支持部材５１上に地突挿入孔３３２を有する支持駒３３を設けること。この場合、第３支持部材５１は、第１支持部材２５及び第２支持部材２６の係止溝３０２間に挿入された結合駒５２のネジ孔５２１に対して、第３支持部材５１上からボルト５３を螺合することにより、第１支持部材２５及び第２支持部材２６に対して固定されている。
【００４３】
・図２０及び図２１に示すように、糸条４６を巻き上げる巻取り機構７１を設けること。この巻取り機構７１は、ケース７２内にゼンマイバネ７３が設けられ、そのゼンマイバネ７３の先端に糸条４６が連結され、糸条４６の先端にはループ７４が設けられている。従って、糸条４６をゼンマイバネ７３のバネ力を利用して収納でき、糸条４６を引き出してループ７４を前記実施形態の止めネジ４５に掛ければよい。
【００４４】
・図２０に示すように、連結部材２７を連結片２７１，２７２によって伸縮可能に、所要の伸長状態で蝶ネジ２７３により長さ固定できるようにすること。
・前記第２実施形態のアンテナ状の伸縮ロッド５８を第１実施形態の三脚設置補助具２１の糸条４６の代りに用いること。
【００４５】
・前記第２実施形態のアンテナ状の伸縮ロッド５８を第２支持部材２６上に第１支持部材２５に向かって延びるように設けること。
（別の技術的思想）
さらに、上記実施形態により把握される請求項以外の技術的思想について、以下に記載する。
【００４６】
（Ａ）前記第２支持部材上にその第２支持部材と直交する方向に延びる支持片を設け、その支持片上に脚の下端を支持可能にした請求項１または２に記載の三脚設置補助具。
（Ｂ）前記第１支持部材及び支持片には、脚の下端を支持する支持駒を第１支持部材または支持片の延長方向に位置調節可能に設けた前記技術的思想（Ａ）項に記載の三脚設置補助具。
【００４７】
（Ｃ）前記基準位置設定手段を糸条によって構成した請求項２，３、技術的思想（Ｂ）のうちのいずれか一項に記載の三脚設置補助具。
（Ｄ）前記糸条にはその延長方向に移動可能な指標部材を設けた技術的思想（Ｃ）項に記載の三脚設置補助具。
【００４８】
（Ｅ）前記第１支持部材または第２支持部材の中央部に基準位置設定手段としてのアンテナ状の伸縮ロッドを他方の支持部材に向かって延びるように設け、その先端に指標部材を設けた請求項１〜３のうちのいずれか一項に記載の三脚設置補助具。
【符号の説明】
【００４９】
２１…三脚設置補助具、２２…設置面としての傾斜屋根、２２１…凹凸、２３…測定器、２４…三脚、２４１…台座、２４２，２４３，２４４…脚、２４５…地突、２５…第１支持部材、２６…第２支持部材、２７…連結部材、４６…基準位置設定手段としての糸条、４７…ガイドピン、４８…指標部材、Ｐ…測定基準点。
【図１】
2015094676.tif 000003
【図２】
2015094676.tif 000004
【図３】
2015094676.tif 000005
【図４】
2015094676.tif 000006
【図５】
2015094676.tif 000007
【図６】
2015094676.tif 000008
【図７】
2015094676.tif 000009
【図８】
2015094676.tif 000010
【図９】
2015094676.tif 000011
【図１０】
2015094676.tif 000012
【図１１】
2015094676.tif 000013
【図１２】
2015094676.tif 000014
【図１３】
2015094676.tif 000015
【図１４】
2015094676.tif 000016
【図１５】
2015094676.tif 000017
【図１６】
2015094676.tif 000018
【図１７】
2015094676.tif 000019
【図１８】
2015094676.tif 000020
【図１９】
2015094676.tif 000021
【図２０】
2015094676.tif 000022
【図２１】
2015094676.tif 000023